(57)【要約】【課題】ボウル内で犬の向きを変えてもリードを係止できる、洗面化粧台を提供する。【解決手段】カウンター２０と、カウンター２０の開口２１に取り付けられ上縁が矩形状或いは楕円状に形成されたボウル３０と、を備えた洗面化粧台であって、ボウル３０は奥側にボウル底より高い段部３２Ａを備え、段部３２Ａの左右の端部にはリードを係止するための環状部材８１，８１を備えている。ボウル３０はカウンター２０における左右の何れかにオフセットされて配設されている。【選択図】図１
2009045186.tif 000002
【特許請求の範囲】
【請求項１】
カウンターと、このカウンターの開口部に取り付けられたボウルと、を備えた洗面化粧台であって、
リードを係止するための二つの環状部材が、上記ボウルの左右の奥側縁部寄りに、該ボウル又はカウンターに備えられていることを特徴とする、洗面化粧台。
【請求項２】
カウンターと、このカウンターの開口部に取り付けられたボウルと、を備えた洗面化粧台であって、
上記ボウルは、奥側にボウル底より高い段部を備え、
上記段部の左右の端部近傍には、リードを係止するための環状部材が備えられていることを特徴とする、洗面化粧台。
【請求項３】
前記ボウルが前記カウンターにおける左右の何れかにオフセットされて配設されていることを特徴とする、請求項１又は２に記載の洗面化粧台。
【発明の詳細な説明】
【技術分野】
【０００１】
本発明は、ボウル内で犬を洗うときに、リードを係止することができる洗面化粧台に関するものである。
【背景技術】
【０００２】
小型犬を飼っている家庭や施設などでは、洗面化粧台のボウルに犬を入れて犬をシャンプーで洗い、さらに、ボウルに犬を入れた状態でドライヤーによって毛を乾かすこと等が行われている。
【０００３】
家庭でペットの洗浄等を行うときに利用される洗面化粧台として、特許文献１〜３に開示されたものが知られている。
特許文献１には、ボウルにペットを入れた状態でユーザーが両手を自由に使えるように、ボウルの前側に設けたシャワー水栓の吐水部から水を奥側へ吐出する化粧台が開示されている。
特許文献２には、ペット洗浄時に水はね等によって洗面化粧台まわりの床等が濡れるのを防止するために、ボウルまわりをカーテンで覆う化粧台が開示されている。
特許文献３には、犬をボウルに入れて洗う際の水はねを防止するため、ボウル底を深くし、また、犬が足を滑らせるのを防止するため、ボウル底を平らにし且つ滑り止め仕上げを施した化粧台が開示されている。
【０００４】
【特許文献１】特開２００４−２８５７３４号公報
【特許文献２】特開２００４−３２１４７５号公報
【特許文献３】実用新案登録第３０６４７３９号公報
【発明の開示】
【発明が解決しようとする課題】
【０００５】
ボウル内で犬などのペットの洗浄や毛の乾燥を行う際、犬が自由に動けると、犬がボウルから飛び出して床に落ちるおそれがある。そこで、犬がボウルから飛び出さないように、犬にリードをつないでこのリードを洗面化粧台に係止し、犬の動きを規制することが考えられる。しかし、単純にリードを係止する部材を設けただけでは、使い勝手のよい洗面化粧台にはならない。例えば、リードを係止する部材をボウルの左右どちらか一方に設けただけでは、リード長さを最適長さに調節するとボウル内での犬の向きが右向き又は左向きのどちらかに決まってしまう。ここで、ユーザーが犬を洗ったり、乾燥させる作業に際して、犬をどちら向きにした方が作業性がよいかは、そのユーザーによって異なるものである。犬の向きを、作業するユーザーにとって作業性の悪い向きの状態で、洗ったり、乾燥させる作業は困難なものとなる。また、ボウルの幅方向中央部周縁に係止する部材を設けると、犬の向きを左右何れの向きにでもできるが、リード長さを最適長さに調節することができずに、リード長さを長くせざるを得ないので、犬の飛び出しを防止できないことがある。
【０００６】
本発明は以上の課題に鑑みて創作されたものであり、ボウル内で犬などペットの向きが左右どちら向きであっても最適長さに調節したリードを係止できる、洗面化粧台を提供することを目的としている。
【課題を解決するための手段】
【０００７】
上記目的を達成するために、本発明の第１の構成は、カウンターと、このカウンターの開口部に取り付けられたボウルと、を備えた洗面化粧台であって、リードを係止するための二つの環状部材が、ボウルの左右の奥側縁部寄りに、このボウル又はカウンターに備えられていることを特徴としている。
【０００８】
上記目的を達成するために、本発明の第２の構成は、カウンターと、このカウンターの開口部に取り付けられたボウルと、を備えた洗面化粧台であって、上記ボウルは、奥側にボウル底より高い段部、即ちカウンター上面よりも低い位置に形成された段部を備え、この段部の左右の端部近傍には、リードを係止するための環状部材が備えられていることを特徴としている。
【発明の効果】
【０００９】
本発明によれば、ボウル内に犬などのペットを入れた状態でリードを環状部材に係止させることができる。これにより、ユーザーは、ペットを洗ったり、ドライヤーで毛を乾かす作業中にペットの動きを規制できるので、ペットが突然ボウルから飛び出して、床に落ちるのを防止することができる。
【発明を実施するための最良の形態】
【００１０】
図１は本発明の第１実施形態に係る洗面化粧台１を示す斜視図である。
洗面化粧台１は、ベースキャビネット１０と、このベースキャビネット１０上に載置されたカウンター２０と、このカウンター２０に形成されたボウル取付用の開口部２１に一体的に取り付けられたボウル３０と、カウンター２０の奥側の縁部から起立したバックボード４０と、このバックボード４０の上側に設けられたミラー５０と、このミラー５０の下縁に沿って設けられた小物棚６０と、から構成されている。
【００１１】
ベースキャビネット１０は、サイドキャビネット１１とボウルキャビネット１２とニースペースキャビネット１３とが隣り合うキャビネットの側面を当接した状態で幅方向に一列に並べられて、構成されている。
サイドキャビネット１１は、例えば、小物の収納に適した幅狭のキャビネットである。ボウルキャビネット１２は、カウンター底面から下方に膨出するように突出したボウル３０を収容するものであり、本実施形態の場合、ボウルキャビネット前面に２枚設けられた前板１２Ａ，１２Ｂの内、上側の前板１２Ａの内側領域がボウル収容領域として画成されている。ニースペースキャビネット１３は、その前側で椅子等に座ったユーザーが脚を入れることができる空間（ニースペース）Ｓ１を有する。各キャビネットの前側下部には、け込み１４が形成されている。
【００１２】
カウンター２０は、例えば、人造大理石製の板状部材で成り、横長に形成されている。このカウンター２０には、ボウル取付用の矩形状の開口部２１が左側にオフセットされて形成されている。
ここで、図２は、ボウル周辺の平面図であり、図３は図２のＡ−Ａ線断面図であり、図４は図２のＢ−Ｂ線断面図である。図３及び図４に示すように、カウンター２０の前縁には、この前縁が上方へ僅かに盛り上がった水返し２２が形成されており、カウンター２０の後縁は上方へ起立したバックガード２３が形成されている。
【００１３】
ボウル３０は、例えば、カウンターと同色の人造大理石製であって、上方が開放した直方体型に形成されている。具体的には、ボウル３０は、手前側の第１側壁部３１と、この第１側壁部３１と対向する奥側の第２側壁部３２と、左右の第３側壁部３３及び第４側壁部３４と、これら４つの側壁部３１〜３４の各下端に対し四辺が一体に繋がった底部３５とから構成されている。これら４つの側壁部３１〜３４と底部３５とにより、犬を収容する空間Ｓ２が画成されている。なお、本実施形態にかかるボウル３０は、主に背中の高さが１５０〜２５０ｍｍ程度の小型犬を入れることができるよう、幅Ｗ１を５００〜７５０ｍｍ程度、奥行きＤ１を３００〜４００ｍｍ程度、高さＨ１を２００〜３００ｍｍ程度に形成されている。なお、小型犬よりも大きな犬を対象とする場合には、その犬の背中がボウル内に入るようにボウル３０の寸法を選定するのが好ましい。
【００１４】
各側壁部３１〜３４の上縁は同じ高さに設定されていて、図２に示すように平面視、各上縁によって輪郭が矩形状に形成される。第２側壁３２は、上縁寄りの位置に、ボウル底より一段高い段部３２Ａを備えている。この段部３２Ａは、横長の平面状の領域として形成されると共に、手前側から奥側へ向けて次第に高くなるように３度程度の勾配を持って形成されている。この勾配により、段部３２Ａに滴下した水はその傾斜面を下ってボウル底へ案内される。
なお、この段部３２Ａの奥側の縁部と左右の縁部からは上方へ起立した壁部３２Ｂが上記上縁の高さまで延出している。
【００１５】
本実施形態では、段部３２Ａの左右の端部近傍に、犬などのペットをつなぐリードを係止するための環状部材８１，８１が設けられていることを特徴としている。これらの環状部材８１，８１は、例えば、アルミニウム製のリングであり、図５に示すように、環状部材８１は段部３２Ａに形成された孔３２Ｄに嵌合した取付用金具８２に取り付けられている。
【００１６】
ここで、上記環状部材８１，８１に係止されるリードについて説明する。
図６は本発明の実施形態に係るリード９０を示す斜視図である。リード９０は、紐材９１と、フック９２と、金具９３と、チューブ部材９４と、から構成される。この紐材９１の一部を利用して犬の首を入れる輪部９１Ａが一端部に形成されている。紐材９１は端部９１Ｂ，９１Ｃ同士を接合されており、この紐材９１にフック９２が移動可能に取り付けられている。
フック９２は、支柱状の本体部９２Ａと、この本体部９２Ａの先端部から延出した鉤部９２Ｂと、本体部９２Ａの先端部から出没可能で上記鉤部９２Ｂの先端と当接して輪を画成する連結部材９２Ｃと、この連結部材９２Ｃを鉤部９２Ｂ先端側へ付勢するばね部材（図示省略）と、本体部９２Ａの下端から突出した紐通し穴を有する突片９２Ｄと、から構成されている。
【００１７】
輪部９１Ａは具体的には次のように紐材９１を扱うことで構成される。
紐材９１の一部を利用して小さな輪を作り、その輪の付け根部９１Ｄが捻れるように輪を回転させる。紐材９１における捻れ部分には、捻れ状態が維持されるように、リング状の金具９３が取り付けられることで、図６に示すように輪部９１Ａが構成される。なお、金具９３をフック９２側へ動かすことで輪部９１Ａを大きくすることができ、金具９３を反フック９２側へ動かすことで輪部９１Ａを小さくすることができる。
紐材９１には、ゴム製のチューブ部材９４が、金具９３からフック９２までの間を移動可能に取り付けられている。輪部９１Ａの大きさを設定した後に、このチューブ部材９４を金具９３に隣接させることで金具９３のフック９２側への移動を規制できる。
【００１８】
さらに、本実施形態では、図２に示す段部３２Ａの右半分の領域において、左側に吐水部１０１、右側に水の温度や水量を調節する操作部１０２が配設されている。なお、吐水部１０１に接続したホースがボウル裏側に引き出し可能に収容されていて、吐水部１０１を持ち上げて使用することができると共に、段部３２Ａ上で向きを変えられるよう回転可能に保持される。
【００１９】
ボウル３０を構成する底部３５は、幅方向中間における第２側壁部３２寄りの領域に一段下がった凹部３６を備えている。この凹部３６の底面に排水口７０が配設されている。この凹部３６には、図７に示すように、凹部３６を覆うプレート状の排水蓋３７が取り外し可能に取り付けられる。なお、排水蓋３７は、ボウル３０と同色の人造大理石製であって、その周縁が薄肉部３７Ａとして形成されている。この薄肉部３７Ａが凹部３６の開口縁３６Ａに当たり、排水蓋３７が凹部３６の底面から上方へ離れた位置に保持される。排水蓋３７が凹部３６を塞いだ状態で排水蓋３７はボウル３０の底部３５と面一状になる。排水蓋３７と奥側の第２側壁部３２との間に排水路３８が形成されており、排水蓋３７が凹部３６を塞いだ状態では、ボウル３０内の水は排水路３８を通って排水口７０へ流れ込む。
【００２０】
このように構成された洗面化粧台１によれば、ボウル３０内に犬を入れた状態でリード９０の輪部９１Ａに犬の首を入れ、このリード９０のフック９２を左右何れかの環状部材８１，８１に係止させることができる。これにより、犬の向きをユーザーにとって作業性のよい向きにすることができると共に、ボウル３０内で犬を洗ったり、ドライヤーで毛を乾かす作業中の犬の動きを規制できるので、犬が突然ボウルから飛び出して、床に落ちるのを防止できる。
【００２１】
また、環状部材８１，８１がボウル３０の奥側の左右の縁部に近接して設けられているので、犬を丁寧に洗う等の目的で犬の向きを変えるために、リード９０のフック９２を一旦外して、左右反対の環状部材８１，８１に係止させるとき、洗面化粧台１のカウンター２０上を濡らしたり、汚したりすることを最小減に抑えることができる。
【００２２】
さらに、ボウル３０がカウンター２０の左側にオフセットされて、カウンター２０上の右側の領域（図１中の一点鎖線で囲う領域）αに犬を立たせてドライヤーで毛を乾かすことができる。この乾燥の際、犬をつないだリード９０のフック９２を、ボウル３０の右端奥側に設けた環状部材８１、即ち右側の環状部材８１に係止させることで、上記同様に、犬の動きを規制して、犬が落下して怪我することを防止できる。また、この場合、カウンター表面から一段下がった段部３２Ａに環状部材が設けられているため、犬の足が直接環状部材８１に引っかかることを防止できて安全である。犬をカウンターに立たせて毛を乾かす場合、当該領域αがニースペースキャビネットの上側のカウンター面として形成されているため、ユーザーは椅子に座り、膝をニースペースＳ１内に入れて、楽な姿勢でドライヤーをかけることができるので便利である。
【００２３】
図８は本発明の第２実施形態に係るボウル３０Ａを示す平面図である。
このボウル３０Ａはその上縁が楕円状に形成されていることを特徴としている。
このボウル３０Ａも、奥側にボウル底より一段高い段部３２Ｃを有しており、この段部３２Ｃの左側に吐水部１０１、その右側に操作部１０２が配設されている。また、段部３２Ｃの左右の端部に、環状部材８１，８１が設けられている。これらの環状部材８１，８１は、第１実施形態と同様に、取付用金具８２，８２を介して段部３２Ｃに設けられている。
このように、第２実施形態に係る平面視楕円状のボウル３０Ａにおいても、奥側の左右の縁部寄りにそれぞれ環状部材８１，８１を備えていることで、第１実施形態と同様に、犬が突然ボウルから飛び出して、床に落ちることを防止できる。
【００２４】
本発明はその趣旨を逸脱しない範囲において様々な形態で実施をすることができる。例えば、環状部材の取付位置はボウルの段部に限らず、例えば、環状部材はカウンター面におけるボウルの奥側左右の縁部に寄った２箇所に備えられてもよい。
【００２５】
カウンターが横長に形成される場合、ボウルは右側にオフセットされて配設されてもよい。カウンター上方には、ミラーの他に、収納棚などが設けられても良い。洗面化粧台のベースキャビネットは、ニースペースキャビネットの代わりにニースペースを備えないキャビネットで構成されてもよく、或いはベースキャビネットは上記ニースペースキャビネットやサイドキャビネットを備えずにボウルキャビネットだけで構成されてもよい。ボウルの段部に設けられる吐水装置は上記構成例の吐水部及び操作部に限らず、操作部付き水栓等でもよい。本実施形態では犬の洗浄、乾燥などを例にとって説明したが、他の愛玩動物にも適用可能であることは言うまでもない。
【図面の簡単な説明】
【００２６】
【図１】本発明の実施形態に係る洗面化粧台を示す斜視図である。
【図２】本発明の第１実施形態に係るボウル周辺の平面図である。
【図３】図２のＡ−Ａ線断面図である。
【図４】図２のＢ−Ｂ線断面図である。
【図５】本発明の実施形態に係る係止部材の配設箇所の部分拡大斜視図である。
【図６】本発明の第１実施形態に係るリードを示す斜視図である。
【図７】本発明の第１実施形態に係るボウル底に形成される凹部の拡大断面図である。
【図８】本発明の第２実施形態に係るボウル３０Ａを示す平面図である。
【符号の説明】
【００２７】
１  洗面化粧台
１０  ベースキャビネット
１１  サイドキャビネット
１２  ボウルキャビネット
１３  ニースペースキャビネット
１４  け込み
２０  カウンター
２１  開口部
２２  水返し
２３  バックガード
３０，３０Ａ  ボウル
３１  第１側壁部
３２  第２側壁部
３２Ａ，３２Ｃ  段部
３２Ｂ  壁部
３３  第３側壁部
３４  第４側壁部
３５  底部
３６  凹部
３７  排水蓋
３８  排水路
４０  バックボード
５０  ミラー
６０  小物棚
７０  排水口
８１  環状部材
８２  取付用金具
９０  リード
９１  輪部
９２  フック
９２Ａ  本体部
９２Ｂ  鉤部
９２Ｃ  連結部材
９２Ｄ  突片
９３  紐材
９３Ａ，９３Ｂ  端部
９４  金具
１０１  吐水部
１０２  操作部
Ｓ１，Ｓ２  空間
【図１】
2009045186.tif 000003
【図２】
2009045186.tif 000004
【図３】
2009045186.tif 000005
【図４】
2009045186.tif 000006
【図５】
2009045186.tif 000007
【図６】
2009045186.tif 000008
【図７】
2009045186.tif 000009
【図８】
2009045186.tif 000010